【事件の表示】
　特許第２９５３５７８号「遊技機」の特許に対する特許異議の申立てについて、次のとおり決定する。
【結　論】
　特許第２９５３５７８号の特許を維持する。
【理　由】
１．手続の経緯
　本件特許第２９５３５７８号は，昭和６３年１０月７日出願の特願昭６３−２５４５８３号の一部を新たな出願とした特願平７−２６１８８７号の一部を更に新たな出願とした特願平７−２８６２０１号の一部を重ねて新たな出願とした特願平７−３１５６９８号の一部をまた更に新たな出願とした特願平１０−３０４３８２号に係り、特許法第４４条第２項の規定により、昭和６３年１０月７日に出願したものとみなされるものである。（本件特許公報に記載された出願日の表示である平成７年（１９９５）１２月４日は、誤記であり、正しくは、昭和６３年（１９８８）１０月７日である。）
　そして、本件特許第２９５３５７８号は平成１１年７月１６日に設定登録され、その後、特許異議申立人河井清悦より特許異議の申立てがなされたものである。
　
２.本件発明
　本件特許の請求項１に係る発明（以下、本件発明という。）は、その特許請求の範囲の請求項１に記載された次の事項により特定されるとおりのものである。
「【請求項１】複数の入賞領域、および電気的遊技装置を各々配設し、遊技機本体に対して着脱分離可能に構成された遊技盤と、
前記複数の入賞領域のうち特定の入賞領域へ入賞した入賞球を検出可能な特定入賞球検出手段と、
を備え、
前記入賞領域への遊技球の入賞に基づいて所要量の賞価値を付与可能な遊技機において、
前記電気的遊技装置の遊技動作を制御する遊技制御回路と、
前記賞価値の付与に関わる制御を行う賞価値付与制御回路と、
を個別に分離構成し、
前記遊技制御回路に前記特定入賞球検出手段を接続するとともに、前記賞価値付与制御回路を前記遊技機本体の裏側所定部位に配設し、
前記遊技制御回路は、
前記特定入賞球検出手段からの検出信号に基づいて前記電気的遊技装置などの遊技動作を制御する遊技制御手段と、
前記入賞領域への遊技球の入賞に基づいて付与される賞価値量を前記複数の入賞領域に対応して複数種類に設定可能な賞価値量設定手段と、
前記特定入賞球検出手段からの検出信号を記憶可能な記憶手段と、
を備えるとともに、
前記賞価値量設定手段で設定された賞価値量を前記賞価値付与制御手段に供給可能に構成し、
前記記憶手段は、前記特定入賞球検出手段からの検出信号を第１の記憶値として記憶し、且つ、該特定入賞球検出手段からの検出信号を第２の記憶値として記憶するように構成し、
前記遊技制御手段は、前記記憶手段に記憶された第１の記憶値に基づいて、前記電気的遊技装置の遊技動作を制御し、
前記賞価値量設定手段は、
前記記憶手段に記憶された第２の記憶値に基づいて、前記特定の入賞領域へ入賞して付与される賞価値量と、前記特定の入賞領域を除いた所定の入賞領域へ入賞して付与される賞価値量と、を異なる賞価値量に設定するようにしたことを特徴とする遊技機。」
　
３．申立ての理由の概要
　特許異議申立人河井清悦は、証拠方法として甲第１号証（特開平６−７１０３０号公報）、甲第２号証（特開昭６３−２９６７４号公報）、甲第３号証（特開平１−１７１５８５号公報）、甲第４号証（特開平１−２７０８８５号公報）及び甲第５号証（実願昭６２−１１１７７２号（実開昭６４−１９４８１号）の願書に最初に添付した明細書及び図面の内容を撮影したマイクロフィルム）を提出し、本件発明は、甲第１号証の刊行物に記載された発明であるから、特許法第２９条第１項第３号に該当し、特許法第１１３条第２号の規定により取り消すべきものであり、また、本件発明は、甲第１号証（または甲第３号証）の刊行物に記載された発明に甲第２号証の刊行物に記載された発明を適用することにより、当業者が容易に発明をすることができたものであるから、特許法第２９条第２項の規定に該当し、特許法第１１３条第２号の規定により取り消すべきものである旨主張している。
　
４．甲各号証の頒布について
　ところで、本件発明は、前述のとおり、昭和６３年１０月７日に出願したものとみなされるものであるから、特許異議申立人が提出した甲各号証のうち、本件発明の特許出願前に頒布された刊行物は甲第２号証のみであり、本件発明の新規性及び進歩性を検討する上での証拠となり得るものは、甲第２号証のみである。
　
５．甲第２号証の刊行物の記載事項
(a)「上側の開閉板１６の上部には、１０カウント表示灯１７が取り付けられて大入賞口１５に入るパチンコ球の数を表示できるようになっている。このパチンコ球の数を検出するための１０カウントスイッチ１８が第２図に示すように大入賞口１５のパチンコ球が通る通路の両側に、そして、１０カウントスイッチ１８と継続回数の検出を兼ねた継続スイッチ１９（第２図）が上記した二個の１０カウントスイッチ１８，１８に挟まれた中央に位置している。」（第２頁左下欄第１１行〜第２０行）、
(b)「なお、大入賞口１５への入賞、球の飛び込みは１０個までであって、１０個が１０カウントスイッチ１８および１０カウントスイッチ機能を備した継続スイッチ１９によって検出され、それが１０カウント表示灯１７に表示されたとき、開閉板１６，１６の開放が３０秒を過ぎたときに大役は終了する。」（第６頁右下欄第１７行〜第７頁左上欄第４行）、
(c)「次に第３の具体例としては、始動口２０，２０，２０のいずれかに入賞球が入ることによって大役となり、この大役の間に、さらに始動口２０，２０，２０のいずれかに入賞球が入ったとき、いわゆる継続中であって、始動記憶個数表示灯１３に表示する。そして、大役中に２個の入賞球が始動口２０，２０，２０のいずれかに入ったならば、その入賞球毎に７個の賞品球を供給するものとして、その回数を「制御カウンタ」に記憶する。そして、大役中に始動口２０，２０，２０に入る入賞球の３個目から「制御カウンタ」の記憶数は、他の入賞口への入賞によっても加算されていくがこの時、７個の賞品球の供給を一時中断し、１３個の賞品球を優先して供給を続ける。大役が終了した後は、「制御カウンタ」に記憶しておいた始動口２０，２０，２０および他の入賞口への入賞回数に対して、７個賞球回数表示器２６の表示している数を減算しながら一括して（７個×回数）の賞品球数を供給する例である。」（第８頁左上欄第１行〜第２０行）、
(d)「また、７個の賞品球の供給を１３個よりも優先して供給したり、逆に１３個を７個よりも優先して供給することができる。」（第８頁右下欄第１２行〜第１４行）。
　
６．対比・判断
　本件発明と上記の甲第２号証の刊行物に記載された発明とを対比すると、甲第２号証には、本件発明の「前記遊技制御手段は、前記記憶手段に記憶された第１の記憶値に基づいて、前記電気的遊技装置の遊技動作を制御し」という事項（上記(a)、(b)参照）、及び、本件発明の「前記賞価値量設定手段は、前記記憶手段に記憶された第２の記憶値に基づいて、前記特定の入賞領域へ入賞して付与される賞価値量と、前記特定の入賞領域を除いた所定の入賞領域へ入賞して付与される賞価値量と、を異なる賞価値量に設定するようにした」事項（上記(c)、(d)参照）についての記載はあるものの、甲第２号証の刊行物には、少なくとも、本件発明の特定事項である、遊技制御回路と、賞価値付与制御回路とを個別に分離構成せしめ、さらに賞価値付与制御回路を前記遊技機本体の裏側所定部位に配設する点が、記載されていない。
　そして、本件発明は、上記の構成を採用することにより、明細書に記載されたとおりの、遊技制御回路を遊技盤固有の回路として、賞価値付与制御回路を複数種類の賞価値付与形態の遊技盤に対して汎用性を有する回路として各々構成することができ、遊技盤を交換する際に、遊技盤とそれに付随する遊技制御回路を交換するだけで、賞価値付与制御回路を交換しないで各遊技盤で共通に使用することができるようになる（本件特許明細書【0316】参照。）という優れた効果を奏すると認めることができる。
　それゆえ、本件発明は、甲第２号証の刊行物に記載された発明ではないし、また、甲第２号証の刊行物に記載された発明に基いて、当業者が容易に発明をすることができたものであるとも認められない。
　
７．むすび
　以上のとおりであるから、特許異議の申立ての理由によっては本件発明についての特許を取り消すことはできない。
　また、他に本件発明についての特許を取り消すベき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年９月１日（２０００．９．１）